(57)【要約】【課題】医師の診断に基づく治療とは異なり、就寝時間等日常生活の時間を利用して安全かつ簡便に体調を整えることができる整身手段を提供する。【課題解決手段】それぞれ寝具大の布の全面に柔軟な導電性材料製の絶縁された電極を配置してなる２枚の電極布と、各電極間に直流電圧を印加するための直流電圧源とを備え、上下に重ねて各電極間に所定の直流電圧を印加した状態の電極布の間に生じる静電界中に身体を横たえて使用する。【選択図】　　　　図１
2004057811.tif 000002
【特許請求の範囲】
【請求項１】
それぞれ寝具大の布の全面に柔軟な導電性材料製の絶縁された電極を配置してなる２枚の電極布と、各電極間に直流電圧を印加するための直流電圧源とを備え、使用に際しては、前記電極布を上下に重ねてその間に利用者が横たわり、各電極間に所定の直流電圧を印加することを特徴とする静電式整身器。
【請求項２】
所定の大きさの布の表面に少なくとも２個の柔軟な導電性材料製の絶縁された電極を互いに非接触で隣り合うように配置してなる１枚の電極布と、各電極間に直流電圧を印加するための直流電圧源とを備え、使用に際しては、前記電極布を利用者が身体に被り又は身体の下に敷き、各電極間に所定の直流電圧を印加することを特徴とする静電式整身器。
【請求項３】
請求項２記載の電極布をペット等の体格に適合する大きさに作成し、各電極間に所定の直流電圧を印加した状態の前記電極布を敷物として該ペット等に与えることを特徴とするペット等の飼育方法。
【請求項４】
使用に際して、前記２枚の電極布のうち下側の電極布の電極を接地してその電位をゼロにし、上側の電極布の電極に正又は負の直流電圧を印加することを特徴とする請求項１記載の静電式整身器。
【請求項５】
敷き布団の表面又は敷布が自然に有する導電性によりこれを実質的に接地して電位をゼロに近くし、これにより前記下側の電極布を省略することを特徴とする請求項４記載の静電式整身器。
【請求項６】
電位をゼロに近くした前記敷き布団の表面又は敷布の上に、これとほぼ同大の高絶縁体膜を重ねて敷き、利用者が当該高絶縁体膜と上側電極布との間に身体を横たえることを特徴とする請求項５記載の静電式整身器。
【請求項７】
発熱線条に直流電圧を印加した電気毛布を前記上側電極布として用い、当該電気毛布の上に、電気毛布と同大で直流電圧源には接続されていない電気導体膜を重ねて掛けることを特徴とする請求項４又は５記載の静電式整身器。
【請求項８】
誘電体製マット内部に設けたマットとほぼ同大の平面電極と、前記平面電極と接地間に所定の直流電圧を印加する直流電圧源と、前記マットが置かれる空間にプラスイオン、マイナスイオン、あるいはその双方を交互に放出するイオン発生器とを備える静電式整身器であって、
使用に際して、前記平面電極に直流電圧を印加し、前記マット上に横臥した人又は動物の身体に前記イオン発生器が発するイオンを浴びせて、イオンの電荷輸送作用により、身体表面を前記平面電極の電位とは反対極性の電位に帯電させることを特徴とする前記整身器。
【請求項９】
前記電極の少なくとも１個として電気毛布中の発熱線条を充てることを特徴とする、請求項１記載の静電式整身器。
【請求項１０】
前記直流電圧源が、単相交流電圧の、極性の異なる各半波をそれぞれ独立に整流して得られる正及び負の直流電圧を各電極にそれぞれ印加することを特徴とする、請求項１、２又は８のいずれかに記載の静電式整身器。
【請求項１１】
前記直流電圧源が、プラス・マイナスの出力電圧を同時かつ無段階に調整できることを特徴とする請求項１、２又は８のいずれかに記載の静電式整身器。
【請求項１２】
前記直流電圧源が、直流電圧の極性を一定時間毎に自動反転させることを特徴とする、請求項１、２又は８のいずれかに記載の静電式整身器。
【請求項１３】
前記直流電圧源が漏電警報遮断回路を備えることを特徴とする、請求項１、２又は８のいずれかに記載の静電式整身器。
【請求項１４】
前記直流電圧源において、平滑コンデンサの容量を０．００５μＦ以上０．１μＦ以下とすることを特徴とする、請求項１、２又は８のいずれかに記載の静電式整身器。
【請求項１５】
前記直流電圧源が、複数のボタン型電池を直列に接続してなることを特徴とする、請求項１、２又は８のいずれかに記載の静電式整身器。
【請求項１６】
電極布中の電極用材料及び直流電圧源と各電極を接続する配線材料として、電波雑音防止電線を用いることを特徴とする、請求項１５記載の静電式整身器。
【請求項１７】
前記電極が、プラスチック製段ボール内部の波状溝に導線を挿入し、隣り合う導線を連結して電極導体を形成したものである、請求項１、２又は８のいずれかに記載の静電式整身器。
【発明の詳細な説明】
【０００１】
【発明の属する技術分野】
本発明は、静電界の作用により身体の調子を整えることを意図する静電式整身器に関する。
【０００２】
【従来の技術】
近時、病気治療や健康改善等の観点から、マイナスイオンや電位療法の効能がしきりに論じられ、これらに関する器具・装置の発表や発売も多い。
【０００３】
ところで、文献（例えば特許文献１参照）に見られる従来の電位治療器の一つは、寝具に埋め込んだ単一のヒータ兼用電極に負の直流高電圧を印加するように構成されている。
【０００４】
【特許文献１】特開２０００−５３２４号明細書
【０００５】
この文献中の記載（［００２１］）によれば、これは「高電圧によりマイナスイオンを発生してこのイオン効果により治療を行う電位治療器」であり（請求項１）、「この負の高電圧印加によりヒータには負のイオンが充填される」と説明されている。
【０００６】
【発明が解決しようとする課題】
本発明が解決しようとする課題は、就寝時間等日常生活の時間を利用して安全かつ簡便に身体の調子を整え、爽快感を得ることができる整身手段を提供することである。
【０００７】
ここで「整身」とは、日常生活の中で身体の調子を整えるといった意味の、発明者による造語である。すなわち、本発明により実現しようとするものは、医師による疾病の診断及び処置という意味での治療の手段ではなく、上記の意味における整身手段である。
【０００８】
【課題を解決する手段】
上記の課題は、それぞれ寝具大の布の全面に柔軟な導電性材料製の絶縁された電極を配置してなる２枚の電極布と、各電極間に直流電圧を印加するための直流電圧源とを備え、前記２枚の電極布を上下に重ね、各電極間に所定の直流電圧を印加した状態で使用する静電式整身器、により解決することができる。なお、上記の柔軟な導電性材料として、軟質電線、金属細線入り繊維、炭素を混練した導電性ゴム又はプラスチック等が例示される。
【０００９】
本発明に係る静電式整身器において目的とする整身効果は、相対する電極間に直流電圧を印加することで形成されるコンデンサの静電界中に人（又は動物）が身体を横たえることにより奏される。この場合、相対する電極間の距離が比較的小さいので、電極間に印加する電圧がさほど高圧でなくても、両極間に整身の目的には充分な強さの静電界（より正確には「電位勾配」）を作ることができる。
【００１０】
実際の電極間電圧は使用者が効果を試しながら決定する。極間電圧を適宜選択可能にするため、この静電式整身器に付属する直流電圧源は電圧可変式にするのが良い。
【００１１】
発明者が自作の静電式整身器を試用した体験によれば、朝までぐっすり熟睡でき、目覚めが爽快なことを中心に、イビキをかかない、夜中に排尿に起きる回数が減った、便秘しなくなった、あるいは肩こりが減った等の、数々の好ましい効果があったように感じる。また、爪や髪の毛が早く伸びることにも気が付いた。どうやら新陳代謝を高め、身体の老化を防止する上で無視できない効果があるように思える。本明細書で整身効果と呼ぶものは、これら諸々の効果の総称である。
【００１２】
この静電式整身器がなぜ効果を発揮するのかについて、「科学的な説明」を与えることは現状では困難である。しかしながら、発明者は体験に照らして以下のように考えている。すなわち、整身効果をもたらす物理的実体は、マイナスイオンや負の高電圧というより、身体表皮の近傍に作られる電位勾配（［電位差／距離］の次元で表される空間の物理的状態）であり、電極に加えられる電圧の高低やその極性等の如何にかかわらず、電位勾配が大きければ大きい整身効果が得られることを、自身及び他者（動物を含む）の経験から知った。以下に記載する実施形態は、電位勾配を作り出す上で有効な幾つかのアイデアを含む。
【００１３】
【発明の実施の形態】
（第１実施形態）
本発明の第１の実施形態は、図２に示す電極布１を２枚と、図３に例示する直流電圧源を組み合わせる構成である。そして図１に示すように、上下に重ねた電極布１，１の間に人（又は動物）が横たわる。本実施形態に係る静電式整身器は、通常の寝具と組み合わせて就寝時に使用するのが基本である。この場合の各電極布１，１は、例えば全面に軟質絶縁電線１ａを張り巡らせて電極としたもので良く、首下のほぼ全身を覆う大きさが適当である。なお、身体の下に敷く電極布中の電極を接地してその電位をゼロにし、身体の上に掛けるもう１枚の電極布中の電極に正又は負の直流電圧を印加するようにすれば、体重で圧迫される下側の電極布がゼロ電位に保たれるので、電圧リークの危険性を低下させることができる。本実施形態は請求項１及び４に対応する。
【００１４】
第１実施形態に使用する直流電圧源を図３に示す。図３において、参照符号３は平滑コンデンサ、４は整流器、５は固定抵抗、６は切替スイッチ、７はＡＣ１００Ｖ用２線式プラグ（オス）、１１は単線式ソケット（メス）を示す。平滑コンデンサ３と整流器４で構成された梯子状回路は公知の（ｎ）倍電圧整流回路であって、ＡＣ１００Ｖから数百ボルトの直流電圧を作り出す。この直流電圧は切替スイッチ６により５段階に切替えができる。
【００１５】
（第２実施形態）
本実施形態は、図４に示すように、２個以上の絶縁された電極１０ａ，　１０ｂ，　…を１枚の電極布１０の内部に平面的に配置し、各電極にプラスとマイナスの直流電圧を印加する構成である。すなわち、第１実施形態では２枚の電極布１が必要であるのに対して、本実施形態では１枚で済むように電極布の複合化を図ったものである。この電極布１０ではプラスとマイナスの電極１０ａ，　１０ｂ，　…が平面的に並んでいるので、一方の電極を出た電気力線が電極布１０の外で弧を描いて他方の電極に入ることになるが、その途中に人体があれば、第１実施形態と同様の整身効果が奏される。なお、プラスとマイナスの電極１０ａ，　１０ｂ，　…が交互に配置される限り電極の数は奇数個でも良い。
【００１６】
第２実施形態に係る静電式整身器は、旅行等の際に電極布を身体の上に掛けたり下に敷いて使用するのに適する。旅行用には、電極布の大きさは例えば首下から膝上程度の大きさが適当かも知れない（ただし、図４に示すものは全身大）。また、家庭で本実施形態の静電式整身器を使用していると、自然に犬や猫がその上に来て横たわる。多分気持ちが良いのであろう。そこで、図５に示すように、彼らの体格に適合する大きさの、専用の電極布１０を作成して与えることが考えられる。試みに、大型犬であるラブラドール種の犬に本実施形態の静電式整身器を与えてみたところ、数日のうちに動物的な体臭の低下、毛並みの改善、運動活力の増加などが感じられた。本実施形態は請求項２及び３に対応する。
【００１７】
（第３実施形態）
本実施形態は、敷き布団の表面又は敷布が完全な絶縁体ではなく、自然に導電性を帯びていることを利用して、実質的に接地することにより、第１実施形態においてアース電位に置かれた下側の電極布を置き換えるというものである。なお、敷き布団の表面又は敷布に例えば陽イオン界面活性剤を噴霧するか、又は敷き布団の表面又は敷布に導電性の繊維を織り込むとかすれば、積極的に導電性を付与することもできる。また、実質的に接地するには、上記のように導電性を有する敷き布団の表面又は敷布を、積極的に大地から絶縁されているのではない床面等に接触させるだけで十分である。そうすれば、極微小な漏洩電流が流れて電荷が移動し、敷き布団の表面又は敷布の電位はゆっくりと接地電位に近づく。本実施形態は請求項５に対応する。
【００１８】
（第４実施形態）
本実施形態は、上記第３実施形態において電位をゼロに近くした敷き布団の表面又は敷布の上に高絶縁体膜２１を重ねて敷き、利用者が当該絶縁体膜と直流電圧を印加した上側電極布１との間に身体を横たえるというものである（図６参照）。この場合は、上側電極布と身体の間に流れる極微小な漏洩電流により身体の電位が上側電極布１の電位に近づくが、身体の下面は絶縁体膜２１により電気的に遮断されているから、絶縁体膜２１の厚さに集中して電位差がかかるようになり、身体下面の表皮近傍の電位勾配が上昇して整身効果が増大する。なお、上記の絶縁体膜として、プラスチック膜の下面にアルミニウム箔をラミネートした市販の包装材料を利用することができる（アルミニウム箔自体は利用しない）。本実施形態は請求項６に対応する。
【００１９】
（第５実施形態）
本実施形態は、上側電極布１として用いる電気毛布の発熱線条に直流電圧を印加し、当該電気毛布の上に、電気毛布と同大で直流電圧源には接続されていない金属薄膜などの電気導体膜２２を重ねて掛けるというものである（図７参照）。このようにすると、電気毛布の発熱線条（電流は流れていないが直流電圧は掛かっている）の外周の漏洩抵抗に微小電流がながれて、上に掛けた電気導体膜２２に達し、その電位が電気毛布内部の発熱線条の電位にほぼ等しくなる。このとき身体と上側電極布１との静電界結合は、電気毛布を二枚以上被せた時と同等又はそれ以上に高まるという効果が生じる。なお、上記の電気導体膜２２として、プラスチック膜の下面にアルミニウム箔をラミネートした市販の包装材料を利用することができる（この場合は、アルミニウム箔を電気導体膜２２として電気毛布に接触させて利用する）。本実施形態は請求項７に対応する。
【００２０】
（第６実施形態）
本実施形態は、利用者（人又は動物）がその上に横臥する誘電体製マットの内部に設けられたマットとほぼ同大の平面電極１９と、前記平面電極１９と接地間に所定の直流電圧を印加する電圧源と、前記マットが置かれる空間にプラスイオン又はマイナスイオン、あるいはプラス・マイナス両イオンを交互に放出するイオン発生器２０とを備えた静電式整身器である。この整身器では平面電極１９に直流電圧を印加し、利用者の身体にイオン発生器２０が発するイオンを浴びさせると、平面電極１９の電位と反対極性の電荷を帯びたイオンが身体表面に引き寄せられて、身体表面を平面電極１９とは反対極性の電位に帯電させる。このようにして利用者の身体の表皮近傍に電位勾配が作り出され、好ましい整身効果が生じる。図８は本実施形態に係る静電式整身器の構成を示す概念図である。本実施形態は請求項８に対応する。
【００２１】
（第７実施形態）
本実施形態では、実施形態１における２枚の電極布１のうち、少なくとも１枚は電気毛布を用いるというものである。このように電極布１の代わりに電気毛布を用いることにより、体を暖めながら整身を行うことができる。なお、上側の電極布１として電気毛布を用いる場合は、２枚、３枚と重ねて共通の直流電圧を印加すると、整身効果を高めることができる。本実施形態では直流電圧源として図９又は図１０に示す回路を用いる。図９及び図１０の回路は、公知の倍電圧整流回路を用いる点を含めて、図３の回路と多くの点で一致する（同一要素には同一符号を用いる）。異なる点は、図３における上側電極布用ソケットが直流電圧を供給するための単線式ソケット１１であるのに対して、図９の回路では直流電圧とともに電気毛布に電熱用電力を供給するための２線式ソケット９を備える点である。また、図１０の回路は電気毛布に電熱用電力を供給するための絶縁トランス８を備える点が図９のものとは異なる。本実施形態は請求項９に対応する。
【００２２】
（第８実施形態）
本実施形態では、実施形態１又は２における静電界形成用に、図１１に示す直流電圧源を用いる。この直流電圧源は、単相交流電圧の極性の異なる各半波をそれぞれ独立に倍電圧整流する回路を用い、この整流回路で得られる正負の直流電圧を各電極にそれぞれ印加する。この場合、交流電源の１線が接地されているので、各電極布に印加される正負の電圧は対地基準の電圧であるが、電極間の電圧はその２倍になる。つまり、電極間の電圧が通常通りなら、各電極に掛かる対地電圧の絶対値を通常の半分にできるので、電圧リークに対する安全性を高めることができる。なお図１０では、切り替えスイッチではなく、プラス・マイナスにそれぞれ５個づつ（Ａ…Ｅ及びＦ…Ｊ）の単線式ソケット１１を設け、上下の電極布からのリード線プラグを差し替えて電圧選択を行うようにした。本実施形態は請求項１０に対応する。
【００２３】
（第９実施形態）
本実施形態は、上記第９実施形態の改良として、図１２案に示す直流電圧源を用いる。この回路によれば、プラス・マイナスの出力電圧を、可変抵抗器２３のつまみを回すだけで同時かつ無段階に調整することができる。一般に直流電圧源の電圧を変更するには、スイッチをカチ、カチと不連続に切り替えるやり方、可変抵抗器のつまみを連続的に回すやり方、あるいは第９実施形態のようにプラグを差し替えるやり方等があるが、電気の扱いに不慣れな人には連続式の方が安心感を与えるようである。本実施形態は請求項１１に対応する。
【００２４】
（第１０実施形態）
本実施形態では、実施形態１又は２における静電界形成用に、図１３に示す直流電圧源を用いる。この直流電圧源は、タイマ１３により極性切り替えスイッチ１２を動作させて、上下の電極布に印加する直流電圧の極性を一定時間ごとに反転させるように構成されており、整身効果が時間とともに飽和するような身体特性について、極性反転の際のコンデンサ再充電によるリフレッシュ効果を期待できる。なお、この直流電圧源は電気毛布に給電できる。上記リフレッシュ効果は次のように説明できる。例えば静電式整身器の上側の電極布に負の直流電圧を印加するとすれば、空中に浮遊する正の荷電粒子は時間とともに電極布上に集合し付着し、ついには電極布の負の電圧の影響を中和するようになる。したがって電極布内部の電極の起こす整身効果が時間とともに低下してゆくことになる。電極の直流電圧の極性を反転してやると、上記のように布に付着していた逆極性の荷電粒子は反撥されて遠ざかるが、遠ざかり終わるまでの間には、電極と荷電粒子との極性は合成されて強い静電界を生じ、整身効果が増強される。したがって空中荷電粒子のブラウン運動の早さの期待値にそって、電極の直流電圧の反転切り替えをすれば効能を高めることができる。本実施形態は請求項１２に対応する。
【００２５】
（第１１実施形態）
本実施形態では、実施形態１又は２における静電界形成用に、図１４に示す直流電圧源を用いる。この直流電圧源は、結合コンデンサ１４、演算増幅器１５、警報ブザー１６、電源遮断リレー１７からなる漏電警報遮断回路を含む。上記各実施形態に使用する電極布中で絶縁劣化が起きて漏電すると、図３、図９〜図１４に示す直流電圧源では、平滑用コンデンサに対する電流負荷が増大して直流電圧中のリップル成分が増大する。図１４に示す回路ではそのリップル成分を結合コンデンサを通じて取り出し、演算増幅器で増幅して警報装置を駆動するとともに、予め設定された条件下で電源遮断リレー１６を賦活する。なお、この直流電圧源も電気毛布に給電できる。本実施形態は請求項１３に対応する。
【００２６】
（第１２実施形態）
本実施形態は、図３、図９〜図１４に示す直流電圧源において、平滑コンデンサ３の容量を０．００５μＦ以上０．１μＦ以下とする構成である。このように構成することにより、万一電極布中で絶縁劣化が起きて漏電したとき、平滑用コンデンサ３両端の電圧が急速に低下して、流れる電流が１ｍＡ以下に制限されるので、高い安全性を確保することができる。ただし、０．００５μＦ未満では平滑作用が損なわれる。なお、上記各図に描かれている複数のコンデンサはいずれも平滑用コンデンサであって、上記範囲内であれば任意の静電容量を持つことができる。本実施形態は請求項１４に対応する。
【００２７】
（第１３実施形態）
本実施形態では、実施形態１又は２における静電界形成用に、図１５に示す直流電圧源を用いる。この直流電圧源は多数のボタン型電池１８を直列に接続してなる。例えばボタン型リチウム電池９０個を直列に接続すれば２７０［Ｖ］の直流電圧源を極めてコンパクトに実現できる。電池を用いる利点は、商用電源を使用できない環境下でも静電式整身器の利用が可能になることである。この場合、電池負荷としての電流が極めて小さいので、長期間の電池寿命を期待できる。本実施形態は請求項１５に対応する。
【００２８】
（第１４実施形態）
本実施形態は、第１３実施形態のものと同一の直流電圧源を用い、電極布に用いる軟質絶縁導線及び直流電圧源と電極布の間を結ぶ配線の材料として電波雑音防止電線を用いる構成である。第１３実施形態の直流電圧源は、原則として有害電磁波を発生させず、旅客機等の中で使用しても航法電子機器に妨害を与えるおそれは少ないと考えられる。しかし、この直流電圧源を使用する場面ではアース線又は商用電源に接続できないので、システム全体が浮動状態でその電位が不定になる。そのため、電極布間の距離が変わって静電容量が急変したり、電極布と座席シート等との摩擦帯電により局所的に小さな放電が起きるような場合に、電極布やその結線から有害な電磁波が放射されないとは言い切れない。
【００２９】
このような現象への対策として、本実施形態では電波雑音防止電線を利用する。この電線は、強力繊維製の中空芯線をテンションメンバとしてその周囲にカーボンを混練した高抵抗導電ゴム層を設け、その上に絶縁を施したもので、線径は３〜３．５ｍｍである（図１６を参照）。高周波の電荷移動成分を吸収減衰させる特性を有するので、旅客機等の中でこの静電式整身器を使用する際の妨害電磁波発生をより完全に防止できる。これにより、長時間座席に拘束される遠距離飛行中にも、この静電式整身器を利用することができる。本実施形態は請求項１６に対応する。
【００３０】
（第１５実施形態）
本実施形態は、静電界形成用に、乾電池を電源としトランジスタ式の発振器と整流器を含む公知のスイッチング電源回路による直流電圧源を用いる構成である（図示省略）。これにより、商用電源を使用できないキャンプ地や長距離の列車・バスによる旅行中でも、この静電式整身器の利用が可能になる。
【００３１】
（第１６実施形態）
第１又は第２実施形態に用いる電極布１又は１０の中の電極として、上に挙げた軟質電線、金属細線入り繊維、炭素を混練した導電性ゴム又はプラスチック等のほかに、以下のものを挙げることができる（図示省略）。
・　紙片又は布片に墨汁を含浸・乾燥させて導電性を付与しその周囲をプラスチックフィルムで被覆して絶縁したもの
・　紙片又は布片に陽イオン界面活性剤を含浸させて導電性を付与しその周囲をプラスチックフィルムで被覆して絶縁したもの
・　金属箔をプラスチックフィルムで被覆して絶縁したもの
・　紙又はプラスチック膜の片面にアルミニウム膜を付着させた市販の包装用材料のアルミニウム面を別の紙又はプラスチック膜で被覆して絶縁したもの、等である。
【００３２】
図１７に第２実施形態に用いる電極布１０の他の例を示す。この電極布はプラスチック製段ボール内部の波状溝に導線を挿入し、隣り合う導線を連結して電極導体１０ａ，　１０ｂ，　…を形成したものである。このような電極導体をプラスチック製段ボールの内部に所望の数だけ作り、隣り合う電極導体にプラスとマイナスの電圧を交互に印加する。ここに挙げた電極布の例は請求項１７に対応する。
【００３３】
【実施例】
発明者が長距離バスで約６時間半の旅をした際、目的地に着いてから足首の周長を計ったところ、むくみのため、平常値の約１２％増であった。ところが、ほぼ同じ条件下で、走行中を通じて上記第７実施形態に記した電池による電圧源を有する静電式整身器を使用したところ、足首の周長増加はほとんど認められなかった（せいぜい１〜２％であった）。
【００３４】
【発明の効果】
請求項１の発明によれば、コンデンサとしての電極間距離が近いので、比較的低い電極間電圧で、整身の目的に充分な強さの静電界を作ることができる。
【００３５】
請求項２の発明によれば、２枚の電極布が外形的には１枚に複合化されるので、例えば旅行中に、乗り物の座席で電極布を膝に掛けるか、座席に敷くだけで、身体を静電界中に置くことができる。
【００３６】
請求項３の発明によれば、ペット等に対しても請求項２の発明による整身効果を及ぼすことができる。
【００３７】
請求項４の発明によれば、体重で圧迫される下側の電極布がゼロ電位に保たれるので、電圧リークの危険性を低下させることができる。
【００３８】
請求項５の発明によれば、下側の電極布を省略できるので、静電式整身器の取り扱いが容易になる。
【００３９】
請求項６の発明によれば、身体の下面において漏洩電流が遮断され、絶縁膜の厚さに集中して電位差がかかるようになるので、身体下面近傍の電位勾配が上昇して整身効果が増大する。
【００４０】
請求項７の発明によれば、直流電圧を印加した電気毛布の電熱線条周囲の漏洩電流により、電気毛布の上に重ねて掛けた電気導体膜の電位が電気毛布の電熱線条の電位に近づくので、電気毛布を複数枚被せた時と同様に整身効果が高まる。
【００４１】
請求項８の発明によれば、イオン流が有する電荷輸送作用を利用して利用者の身体上面の電位をマット中の電極とは反対極性の電位に帯電させるので、身体を挟んで強い電位勾配ができ、整身効果が増大する。
【００４２】
請求項９の発明によれば、電気毛布の発熱線条を電極として用いるので、体を暖めながら整身を行うことができると共に、入手容易な電気毛布を利用して整身を手近に実施できる。
【００４３】
請求項１０の発明によれば、各電極布に印加される正負の電圧はアースを基準とする対地電圧であるが、電極布間の電圧はその２倍になる。従って、静電界の強さを同一とするならば、各電極布に掛かる対地電圧の絶対値を通常の半分にできるので、電圧リークに対する安全性を高めることができる。
【００４４】
請求項１１の発明によれば、両極性の出力電圧を同時かつ無段階に調整できる直流電圧源が提供されるので、使用感が向上する。
【００４５】
請求項１２の発明によれば、整身効果が時間とともに飽和するような身体特性について、極性反転の際のコンデンサ再充電によるリフレッシュ効果を期待できる。
【００４６】
請求項１３の発明によれば、電極布中の電極において漏電を生じた場合、その漏電を警報し、又は自動的に電源を遮断することができるので、安全性を高めることができる。
【００４７】
請求項１４の発明によれば、電極布中の電極において漏電を生じた場合でも、漏電電流を１ｍＡ以下に制限できるので、安全性を高めることができる。
【００４８】
請求項１５の発明によれば、商用電源を使用できない環境下でも静電式整身器を利用可能にする直流電圧源を極めてコンパクトに実現できる。この場合、負荷電流が極めて小さいので、長期間の電池寿命を期待できる。
【００４９】
請求項１６の発明によれば、有害電磁波の発生を防止できるので、旅客機等の中で使用しても航法電子機器に妨害を与えるおそれが少ない。
【００５０】
請求項１７の発明によれば、軽量・安価な電極布を容易に作ることができる。
【図面の簡単な説明】
【図１】本発明の第１実施形態に係る静電式整身器の構造及び使用状態を説明する概念図である。
【図２】本発明の第１実施形態に係る静電式整身器に使用する電極布の一例を示す図である。
【図３】本発明の第１実施形態に使用する直流電圧源の回路図の例である。
【図４】本発明の第２実施形態として挙げた、１枚の電極布中に上半身及び下半身をそれぞれ覆う大きさの電極を平面的に配置した状況を示す概念図で、（Ａ）は上から見た図、（Ｂ）は横から見た図である。
【図５】本発明の第２実施形態中に挙げた、ペット専用の電極布の例を示す概念図で、（Ａ）は上から見た図、（Ｂ）は横から見た図である。
【図６】本発明の第４実施形態における高絶縁体膜の使用状態及び部分拡大図を示す概念図である。
【図７】本発明の第５実施形態における電気毛布と電気導体膜の関係を説明する概念図である。
【図８】本発明の第６実施形態における平面電極とイオン発生器の作用を説明する概念図である。
【図９】本発明の第７実施形態において使用する直流電圧源の回路図の例である。
【図１０】本発明の第７実施形態において使用する直流電圧源の回路図の他の例である。
【図１１】本発明の第８実施形態において使用する直流電圧源の回路図の例である。
【図１２】本発明の第９実施形態において使用する直流電圧源の回路図の例である。
【図１３】本発明の第１０実施形態に係る直流電圧の極性を一定時間ごとに反転させる電圧源装置の回路図の例である。
【図１４】本発明の第１１実施形態に係る漏電警報遮断回路を含む直流電圧源の回路図の例である。
【図１５】本発明の第１３実施形態に係る多数のボタン型電池を直列に接続してなる直流電圧源と電極布を示す図である。
【図１６】本発明の第１４実施形態に係る点火栓用電波雑音防止電線の構造例を示す斜視図である。
【図１７】本発明の第１５実施形態に係るプラスチック製段ボールを利用して構成された電極の例である。
【符号の説明】
１、１０…電極布
１ａ、１０ａ、１０ｂ…電極布内の電極
３…平滑コンデンサ
４…整流器
５…固定抵抗
６…切替スイッチ
７…２線式プラグ（オス）
８…絶縁トランス
９…２線式ソケット（メス）
１１…単線式ソケット（メス）
１２…極性切替スイッチ
１３…タイマー
１４…結合コンデンサ
１５…演算増幅器
１６…警報ブザー
１７…電源遮断リレー
１８…ボタン電池
１９…マット中の平面電極
２０…イオン発生器
２１…高絶縁体膜
２２…電気導体膜
２３…可変抵抗器
【図１】
2004057811.tif 000003
【図２】
2004057811.tif 000004
【図３】
2004057811.tif 000005
【図４】
2004057811.tif 000006
【図５】
2004057811.tif 000007
【図６】
2004057811.tif 000008
【図７】
2004057811.tif 000009
【図８】
2004057811.tif 000010
【図９】
2004057811.tif 000011
【図１０】
2004057811.tif 000012
【図１１】
2004057811.tif 000013
【図１２】
2004057811.tif 000014
【図１３】
2004057811.tif 000015
【図１４】
2004057811.tif 000016
【図１５】
2004057811.tif 000017
【図１６】
2004057811.tif 000018
【図１７】
2004057811.tif 000019